(57)【要約】【課題】記録及び／又は再生部を確実に防塵することができ、かつ、発熱部品収納部内を効率良く空冷することができるようにする。【解決手段】  本体外装４のディスク挿入口５から挿入されたディスク２を記録及び／又は再生する記録及び／又は再生部１２を防塵筐１０内に収容して本体外装４の内部に配置し、防塵筐１０と発熱部品収納部２０を外装本体４の前側に近接して配置し、放熱用通風口２１を外装本体４の前側に形成した記録及び／又は再生装置。【選択図】図１
2004253134.tif 000002
【特許請求の範囲】
【請求項１】
開閉蓋付の記録媒体挿入口がフロントパネルに設けられた本体外装と、
防塵筐内に収容されて上記本体外装の内部に配置され、上記記録媒体挿入口から挿入された記録媒体を記録及び／又は再生する記録及び／又は再生部と、
上記本体外装の内部に配置され、発熱部品が収納される発熱部品収納部と、
冷却用の空気を上記発熱部品収納部内に導入して、該発熱部品収納部内を空冷する放熱用通風口であって、該空気が上記防塵筐の下部等を迂回することなく上記発熱部品収納部内に導入されるように、該発熱部品収納部に近接されて配置された該放熱用通風口とを備たことを特徴とする記録及び／又は再生装置。
【請求項２】
上記防塵筐と上記発熱部品収納部が上記外装本体の前側に近接されて配置され、
上記放熱用通風口が上記外装本体の前側に形成されていることを特徴とする請求項１記載の記録及び／又は再生装置。
【請求項３】
上記放熱用通風口が上記フロントパネルに横長で、広幅に形成されていることを特徴とする請求項２記載の記録及び／又は再生装置。
【発明の詳細な説明】
【技術分野】
【０００１】
本発明は、例えば、光ディスクや光磁気ディスク等の記録媒体を記録及び／又は再生するディスク装置に適用するのに最適な記録及び／又は再生装置に関し、特に、記録及び／又は再生部の防塵と発熱部品の放熱に関するものである。
【背景技術】
【０００２】
従来から、光ディスクや光磁気ディスク等を記録及び／又は再生するディスク装置では、ディスクテーブルや光学ピックアップ等が配置される記録及び／又は再生部を防塵筐内に収容して本体外装の内部に組み込み、本体外装のフロントパネルに形成したディスク挿入口に開閉蓋を取り付けて、記録及び／又は再生部の防塵を図るように構成し、本体外装の内部で、防塵筐の後部位置に発熱部品が収納される発熱部品収納部を設けて、フロントパネルのディスク挿入口の下部に沿って形成した放熱用通風口から吸入した冷却用空気を本体外装内の防塵筐の下部の狭い隙間を迂回して後部の発熱部品収納部内に流入して、発熱部品を空冷するようにしたものがある。
【特許文献１】特開平３−２０１２８５号公報
【発明の開示】
【発明が解決しようとする課題】
【０００３】
解決しようとする問題点は、フロントパネルのディスク挿入口の下部に沿って形成した放熱用通風口から吸入した冷却用空気を本体外装内の防塵筐の下部の狭い隙間を迂回して後部の発熱部品収納部内に流入して、発熱部品を空冷するものでは、放熱用通風口から発熱部品収納部内へ冷却用空気を効率良く流入することができず、発熱部品収納部内を効率良く空冷することができないと言う問題があった。
【課題を解決するための手段】
【０００４】
本発明は上記の問題を解決するためになされたものであって、記録及び／又は再生部を確実に防塵することができ、かつ、発熱部品収納部内を効率良く空冷することができるようにするために、開閉蓋付の記録媒体挿入口がフロントパネルに設けられた本体外装と、
防塵筐内に収容されて上記本体外装の内部に配置され、上記記録媒体挿入口から挿入された記録媒体を記録及び／又は再生する記録及び／又は再生部と、上記本体外装の内部に配置され、発熱部品が収納される発熱部品収納部と、冷却用の空気を上記発熱部品収納部内に導入して、該発熱部品収納部内を空冷する放熱用通風口であって、該空気が上記防塵筐の下部等を迂回することなく上記発熱部品収納部内に導入されるように、該発熱部品収納部に近接されて配置された該放熱用通風口とを備たものである。
【発明の効果】
【０００５】
本発明の記録及び／又は再生装置は、記録及び／又は再生部を防塵筐内に収納して確実に防塵することができ、かつ、本体外装内に配置された発熱部品収納部に近接されて本体外装に形成された放熱用通風口から導入した冷却用の空気を防塵筐の下部等を迂回することなく発熱部品収納部に導入して、発熱部品収納部内の発熱部品を効率良く、空冷することができる。
【発明を実施するための最良の形態】
【０００６】
放熱用通風口から導入した冷却用の空気を発熱部品収納部内に導入する効率を向上すると言う目的を、防塵筐と発熱部品収納部を外装本体の前側に近接して配置し、放熱用通風口を外装本体の前側に形成することで実現した。
【０００７】
放熱用通風口から冷却用の空気を効率良く、導入すると言う目的を、外装本体のフロントパネルに横長で、広幅に形成することで実現した。
【実施例１】
【０００８】
以下、本発明を適用したディスク装置の防塵装置の一実施例を図を参照して説明する。
【０００９】
まず、記録再生装置の一例では、このディスク装置１は、記録媒体の一例である光ディスクや光磁気ディスク等のディスク２を記録及び／又は再生するものであり、ディスク２はディスクカートリッジ３内に収納されて使用されるものである。なお、ディスク２には中心穴２ａが形成されている。
【００１０】
そして、このディスク装置１のほぼ長方形状の本体外装４は、厚手の板金等で構成された水平方向及び垂直方向の複数のシャーシ４０と、これらシャーシ４０の外周にビス止め等にて取り付けられた金属薄板等で構成された外装板４１と、合成樹脂等で成形されてシャーシ４０のフロント側にビス止め等にて取り付けられたフロントパネル４２と、シャーシ４０の底部にビス止め等にて取り付けられた４個のゴム製等の脚部４３とによって構成されている。
【００１１】
そして、この本体外装４のフロントパネル４２には、記録媒体挿入口である横長で水平なディスク挿入口５が形成されている。但し、このディスク挿入口５はフロントパネル４２の左右方向の中心位置から一側方に少しずらされて形成されている。
【００１２】
そして、このフロントパネル４２の外側に、ディスク挿入口５を開閉する開閉蓋６が取り付けられている。
【００１３】
なお、図５及び図６に示すように、この開閉蓋６は、合成樹脂等で成形されていて、下端側に設けられた左右一対の支点軸７を中心にして図５及び図６で上下方向である矢印ａ、ｂ方向に回転自在に取り付けられている。そして、この開閉蓋６は付勢手段である捩りコイルバネ８によって閉蓋方向である矢印ａ方向に回転付勢されている。また、この開閉蓋６の背面側に一体成形されている横長で角型のリブ６ａの端面に沿ってゴム等で構成されたほぼ角型リング状のパッキン９が接着等にて取り付けられている。そして、捩りコイルバネ８のバネ力によってパッキン９をフロントパネル４２の外側面４２ａで、ディスク挿入口５の外周に矢印ａ方向から圧着させることによって、ディスク挿入口５を外側から密閉している。
【００１４】
なお、ここでは、開閉蓋６をフロントパネル４２の外側面４２ａに外開き方式に取り付けたが、この開閉蓋６をこれと同じように、フロントパネル４２の内側面４２ｂに内開き方式で取り付けても良く、フロントパネル４２の外側面４２ａと内側面４２ｂとに内外２重に開閉蓋を取り付けても良い。
【００１５】
次に、本体外装４より小さいほぼ長方形状に構成された防塵筐１０が本体外装４の内部に水平に配置されている。但し、この防塵筐１０は、ディスク挿入口５に合せて本体外装４の内部でフロントパネル４２側と一側方（図１の（Ａ）で左方向と下方向）との２方向に偏位された位置に配置されている。
【００１６】
そして、この防塵筐１０はアルミダイキャスト製等のメカシャーシ１００と、そのメカシャーシ１００の上部に複数の止ネジ１０２によってビス止め等にて取り付けられた金属薄板等で構成された筐枠１０１とによって、上下両面、左右両面及び背面の５つの面が密閉されている。そして、この防塵筐１０の筐枠１０１のフロント側である前面１０１ａにはフロントパネル４２のディスク挿入口５に対向された横長の開口１１が構成されている。
【００１７】
そして、この防塵筐１０内に、ディスク２を記録及び／又は再生するための記録及び／又は再生部１２が収容されている。なお、この記録及び／又は再生部１２は、ディスク２を回転駆動するスピンドル１３及びディスクテーブル１４と、これらを一体に回転駆動するスピンドルモータ１５と、光学ピックアップや必要に応じて外部磁界ヘッド（何れも図示せず）と、ディスクカートリッジによってディスク２を防塵筐１０内のスピンドル及びディスクテーブル１４に対してローディング及びイジェクトするためのローディング及びイジェクト機構１６等を有している。
【００１８】
そして、防塵筐１０のメカシャーシ１００の下部の四隅が４つのダンパー１７によって本体外装のシャーシ４０の上部に弾性的に支持されたフローティング構造が採用されていて、防塵筐１０全体の防振機能が備えられている。
【００１９】
なお、この際、図７に示すように、これら４つのダンパー１７は、例えば、ほぼ半球状のダンパー主部１７ａと、下部フランジ１７ｂとをゴム等の弾性部材によって一体成形した形状に構成されている。そして、下部フランジ１７ｂをシャーシ４０上にスナップピン等の一対の止め具１７０によって水平に取り付け、メカシャーシ１００の下部の四隅に形成したダンパー当接部１００ａをダンパー主部１７ａ上に載置している。そして、ダンパー当接部１００ａに上方から垂直に挿通した止ネジ１７１をダンパー主部１７ａの頂部に一体にインサート成形しているナット１７２にネジ込んで止めている。
【００２０】
従って、本体外装４に加えられる外部振動等によってシャーシ４０が水平方向及び垂直方向に振動しても、その外部振動が４つのダンパー１７によって吸収されるので、防塵筐１０全体の防振機能が得られる。なお、ダンパー１７には各種形状のものを採用できる。
【００２１】
そして、この防塵筐１０全体の防振機能を得るためには、外部振動等によって、防塵筐１０が本体外装４の内壁と衝突し合わないように、防塵筐１０の前面１０ａ、後面１０ｂ、左右両側面１０ｃ及び上面１０ｄと、本体外装４の前側内壁面４ａ、後側内壁面４ｂ、左右内壁面４ｃ及び上側内壁面４ｄとの間に十分な隙間Ｇ1 、Ｇ2 、Ｇ3 及びＧ4 を形成しておかなければならない。
【００２２】
しかし、前側の隙間Ｇ1 内には防塵筐１０の開口１１が配置されていて、防塵筐１０内の防塵機能が低下する。
【００２３】
そこで、ディスク挿入口５の外周で、防塵筐１０の前面１０ａと、本体外装４の前側内壁面４ａとの間に存在する前側の隙間Ｇ1 を密閉することができる防塵部材１８を取り付けている。
【００２４】
この防塵部材１８は、ネオプレンスポンジ、モルトプレンスポンジ、ゴム、フィルター紙等の防塵性及び柔軟性を有する部材によってほぼ角型リング状に構成されたものである。
【００２５】
そして、図５及び図６に示すように、例えば、防塵筐１０の筐枠１０１の前面１０１ａで開口１１の外周に形成したほぼ角型リング状の防塵部材保持用リブ１９で防塵部材１８を保持するようにして、この防塵部材１８を前側の隙間Ｇ1 内で、ディスク挿入口５の外周に配置する。そして、この防塵部材１８の前後両端面１８ａ、１８ｂをフロントパネル４２の内側面４２ｂに一体成形したほぼ角型リング状のリブ４２ｃと筐枠１０１の前面１０１ａとの両方に弾性的に、かつ、低接触力で圧着させている。
【００２６】
なおこの際、必要に応じて、防塵部材１８を防塵部材保持用リブ１９や前面１０１ａ等に接着しても良いし、フロントパネル４２の内側面４２ｂにも防塵部材保持用リブ１９を一体成形して、防塵部材１８の前後両端を一対の防塵部材保持用リブ１９で保持するようにしても良い。
【００２７】
以上の結果、図１の（Ａ）（Ｂ）に斜線で示すように、開閉蓋６を有するディスク挿入口５に開口１１を通して接続された防塵筐１０の内部全体を防塵部材１８によって完全密閉することができて、記録及び／又は再生部１２の極めて高い防塵機能が得られる。
【００２８】
それでいて、防塵部材１８は、柔軟性を有していて、フロントパネル４２と、筐枠１０１とに低接触力で接触されているから、４つのダンパー１７による防塵筐１０全体の防振機能を少しも妨げることがない。
【００２９】
なお、防塵筐１０をシャーシ４０上に固定して、防塵筐１０内の記録及び／又は再生部１２をメカシャーシ４０上に複数のダンパー１７を介してフローティングさせるようにした構造も採用可能である。そして、この時には、防塵筐１０自体は防塵機能がなくても良くなるので、防塵部材１８の柔軟性は特に必要でなくなる。
【００３０】
そして、ディスク２のローディング時には、図６に示すように、開閉蓋６を捩りコイルバネ８に抗して矢印ｂ方向に回転して、ディスク挿入口５を開蓋する。そして、ディスクカートリッジ３をディスク挿入口５から開口１１を通して防塵筐１０内の記録及び／又は再生部１２のローディング及びイジェクト機構１６に矢印ｃ方向から水平に挿入する。すると、図２及び図４に示すように、ローディング及びイジェクト機構１６によって、ディスクカートリッジ３が防塵筐１０内に矢印ｃ方向に水平に引き込まれた後、矢印ｄ方向に垂直に下降されて、ディスクカートリッジ３内のディスク２が中心穴２ａによってスピンドル１３に挿入されると共にディスクテーブル１４上に水平に装着される。
【００３１】
そこで、図５に示すように、開閉蓋６を捩りコイルバネ８によって矢印ａ方向に回転して、パッキン９によってディスク挿入口５を外側から密閉して、防塵筐１０の内部全体を完全密閉する。
【００３２】
そして、記録及び／又は再生部１２のスピンドルモータ１５によってスピンドル１３及びディスクテーブル１４と一体にディスク２を回転駆動して、光学ピックアップと必要に応じて外部磁界ヘッドとを用いて、ディスク２の所望の記録及び／又は再生を行う。
【００３３】
そして、このディスク２の記録及び／又は再生時には、防塵筐１０の内部全体が完全密閉されるから、記録及び／又は再生部１２への塵埃等の侵入を完全に防止することができる。従って、ディスク２への塵埃等の付着による出力低下等が全く発生せず、ディスク２の記録及び／又は再生の特性を著しく向上できる。
【００３４】
なお、ディスク２の記録及び／又は再生後のディスク２のイジェクト時には、図６に示すように、開閉蓋６を矢印ｂ方向に開蓋し、図２及び図４に示すように、ローディング及びイジェクト機構１６によって、ディスクカートリッジ３を矢印ｅ方向に垂直に上昇させて、ディスク２をスピンドル１３及びディスクテーブル１４から離脱させた後、ディスクカートリッジ３を防塵筐１０内から開口１１及びディスク挿入口５を通してフロントパネル４２外に矢印ｆ方向に水平に排出することになる。
【００３５】
ところで、防塵筐１０の内部全体を完全密閉したことによって、この防塵筐１０内に発熱部品を収納すると、防塵筐１０内に熱がこもってしまう。
【００３６】
そこで、図１〜図４に示すように、防塵筐１０を本体外装４の内部でフロントパネル４２側と一側方（図１の（Ａ）で左方向と下方向）との２方向に偏位させて、本体外装４の内部で、防塵筐１０の外部に、内部隔壁４４と外装板４１の他側方側（図１で上方向側）によって囲繞された発熱部品収納部２０を形成し、その発熱部品収納部２０内に電源回路やアンプ等の熱発生源である発熱部品（図示せず）を収納している。
【００３７】
そして、この発熱部品収納部２０内に前側の隙間Ｇ1 を通して接続された丁度、鎧板形状の放熱用通風口２１をフロントパネル４２の開閉蓋６の下部に沿って横長で広幅に形成している。
【００３８】
この結果、発熱部品収納部２０内で発熱部品から発生した熱が防塵筐１０の内部にこもることを未然に防止できる上に、横長で広幅の放熱用通風口２１を利用して、発熱部品収納部２０内を効率良く、空冷することができる。
【産業上の利用可能性】
【００３９】
以上、本発明の一実施例に付き述べたが、本発明は上記の実施例に限定されることなく、本発明の技術的思想に基づいて各種の変更が可能である。
【００４０】
例えば、上記の実施例では、記録再生装置の一例として、ディスクカートリッジ式のディスク装置を示したが、裸のディスクをトレーによってローディング及びイジェクトするトレー式のディスク装置でも良い。
【００４１】
また、この記録再生装置は、ディスク状記録媒体やテープ状記録媒体等の各種の記録媒体を記録及び／又は再生する記録再生装置に適用可能である。
【図面の簡単な説明】
【００４２】
【図１】図１の（Ａ）は本発明の一実施例を説明するディスク装置全体の概略平面図    であり、図１の（Ｂ）は図１の（Ａ）の概略側面図である。
【図２】図１の（Ａ）のＡ−Ａ矢視での拡大断面側面図である。
【図３】図１の（Ａ）のＢ−Ｂ矢視での拡大正面図である。
【図４】図１の（Ａ）のＣ−Ｃ矢視での拡大断面側面図である。
【図５】同上のディスク装置の防塵部材の取り付け構造を説明する図３のＤ−Ｄ矢視    での拡大断面側面図である。
【図６】図５の開閉蓋の開蓋状態を示した拡大断面側面図である。
【図７】図７の（Ａ）はダンパーの構造を説明する図１の（Ａ）のＥ−Ｅ矢視での拡    大断面側面図であり、図７の（Ｂ）は図７の（Ａ）のＦ−Ｆ矢視での断面平面図であ    る。
【符号の説明】
【００４３】
１      ディスク装置（記録再生装置）
２      ディスク（記録媒体）
４      本体外装
４０    本体外装のシャーシ
４１    本体外装の外装板
４２    本体外装のフロントパネル
４４    本体外装の内部隔壁
５      ディスク挿入口（記録媒体挿入口）
６      開閉蓋
７      支点軸
８      捩りコイルバネ（付勢手段）
９      パッキン
１０    防塵筐
１００  防塵筐のメカシャーシ
１０１  防塵筐の筐枠
１０１ａ  防塵筐の筐枠の前面
１１    防塵筐の開口
１２    記録及び／又は再生部
１７    ダンパー
１８    防塵部材
１９    防塵部材の保持用リブ
２０    発熱部品収納部
２１    放熱用通風口
Ｇ1     防塵筐の前面と本体外装のフロントパネルとの間の隙間
【図１】
2004253134.tif 000003
【図２】
2004253134.tif 000004
【図３】
2004253134.tif 000005
【図４】
2004253134.tif 000006
【図５】
2004253134.tif 000007
【図６】
2004253134.tif 000008
【図７】
2004253134.tif 000009